(57)【要約】【課題】車両等の移動体構造物に備えられる操作機器を戸外にて操作するにあたって、作業者による必要な作業空間を維持することができると共に、機器からの放熱を良好になし得る通風路を備えた構造体を提供すること。【解決手段】通風路を備えた構造体２０は、所要の広さを有する床面部３０と、この床面部３０に対して所要の間隔をあけて対向配置される天井部３１と、この天井部３１側から床面部３０側に亘って全体を覆うように設けられる帆布３３とを具備し、帆布３３には、少なくともその一側面に形成される帆布側通風孔３４と、この通風孔３４を塞ぐように設けられ、この帆布側通風孔３４から風圧Ｐ１を受けることにより、この風圧Ｐ１に応じて帆布側通風孔３４の開口を開くように設けられる弁体３５とを備え、床面部３０には、帆布側通風孔３４から浸入した風ｄ１を外部へ通す床面側通風孔３０ａを備える。【選択図】  図１
2007210524.tif 000002
【特許請求の範囲】
【請求項１】
所要の広さを有する床面部と、この床面部に対して所要の間隔をあけて対向配置される天井部と、この天井部側から上記床面部側に亘って全体を覆うように設けられる帆布とを具備し、
上記帆布には少なくともその一側面に形成される帆布側通風孔と、この通風孔を塞ぐように設けられ、この帆布側通風孔から風圧を受けることにより、この風圧に応じて上記帆布側通風孔の開口を開くように設けられる弁体とを備え、
上記床面部には、上記帆布側通風孔から浸入した風を外部へ通すことができるように形成された床面側通風孔を備えたことを特徴とする通風路を備えた構造体。
【請求項２】
上記帆布側通風孔は、複数の長孔形状のものであって、且つ前記長孔のそれぞれが所定間隔をとってほぼ平行に設けられたことを特徴とする請求項１記載の通風路を備えた構造体。
【請求項３】
上記帆布側通風孔は、複数の長孔形状のものであって、且つ前記長孔のそれぞれが所定間隔をとると共に、それぞれの長手方向がそれぞれ異なる方向に向かうように設けられたことを特徴とする請求項１記載の通風路を備えた構造体。
【請求項４】
上記帆布側通風孔は、円状に形成されたことを特徴とする請求項１記載の通風路を備えた構造体。
【請求項５】
上記帆布側通風孔に設けられた弁体は、上記通風孔の周囲の全部または一部に断続的に縫付けられたことを特徴とする請求項１記載の通風路を備えた構造体。
【請求項６】
所要の広さを有する床面部と、この床面部に対して所要の間隔をあけて対向配置される天井部と、この天井部側から上記床面部側に亘って全体を覆うように設けられる帆布とを備えた構造体と、上記構造体側に設けられた鈎部を係止する構造体支持具を備えた移動体本体とを具備し、
上記構造体の帆布には、その一側面に形成される帆布側通風孔と、この通風孔を塞ぐように設けられ、この帆布側通風孔から風圧を受けることにより、この風圧に応じて上記帆布側通風孔の開口を開くように設けられる弁体と、上記床面部には上記帆布側通風孔から浸入した風を外部へ通す床面側通風孔とを備えたことを特徴とする通風路を備えた構造体を用いた移動体。
【請求項７】
上記帆布側通風孔の開口を開くように設けられる弁体は、その弁体の開く側が機器収納筐体と反対側になるようにしたことを特徴とする請求項６記載の通風路を備えた構造体を用いた移動体。
【発明の詳細な説明】
【技術分野】
【０００１】
この発明は、車両等の移動体構造物に備えられる操作機器を戸外で操作するにあたり、風の強い天候の場合でも操作機器を良好に保全し得る通風路を備えた構造体およびこの構造体を用いた移動体に関する。
【背景技術】
【０００２】
従来、この種の通風路を備えた構造体として、一般建築物、建造物その他の構造物における換気、吸・排気設備などの通気口や換気口に遮音性および防水性を有するルーバーが設けられたものがある。このルーバーは、構造物の特に風の影響を受け易い壁部に設けられ、この風が直接構造物内に容易に浸入させることのない構成になっている。
【０００３】
例えばこの種のルーバーを備えた構造体として、特開平４−８４０５１号公報（［特許文献１］参照）に開示されたものがある。特許文献に開示された従来の通風路を備えた構造体を図９および図１０を参照して説明する。
【０００４】
図９は通風路を備えた構造体１の水平断面図、図１０はその側断面図である。
【０００５】
図９に示す通風路を備えた構造体１は、上枠２、下枠３およびこの両枠の端部に接合する左・右の側枠４（一方のみ図示）とから構成される枠体５と、この枠体５の上枠２および下枠３の間に掛け渡されるように設けられる複数の縦向き羽根板６と、左・右の側枠４の羽根板６側に設けられる羽根板半体７とから構成される。
【０００６】
複数の縦向き羽根板６は、隣り合う羽根板８が相互に所定の間隔をおいて、上・下の枠体２および３の間に立設される。各羽根板６は、図９に示すように、その横断面が碇形状をなしており、その基部である羽根部分９と、この羽根部分９から二股状に分かれた円弧状羽根部分１０とを有している。また、各羽根板６は相互に所定の間隔をおいて立設されるに際して、それぞれの羽根板６の前方（外部側）から見て重なるように配設される。
【０００７】
このように構成された構造体１は、各羽根板６間において、枠体５の前方から後方（内部側）側へ通じる通風路１１が形成される。通風路１１は、各羽根板６の円弧状羽根部分１０が、前方より見て重なるように配置されたことから上方から見てＳ字状に迂回した通風路になっている。
【特許文献１】特開平４−８４０５１号公報
【発明の開示】
【発明が解決しようとする課題】
【０００８】
従来の通風路１１を備えた構造体１によれば、Ｓ字状に迂回した通風路１１が形成されるために、枠体５の前方から風が浸入してきても通風路に流れ込むため矢印ａにて示すように迂回しながら枠体５の後方へ流れ込む。従って、戸外で１つの壁体として用いる際には、風が浸入してきても機器への悪影響を防御することができる。
【０００９】
しかしながら、構造体１は、定型の部材を組み合わせて設けられたものであって、この構造体１を一つの構成部材として複数組み合わせ、例えば所要の箱形に形成して用いる場合には、大型且つ重量物となり、その取り扱いが不便であった。
【００１０】
本発明は、上記の事情に鑑みてなされたもので、戸外にて車両等の移動体に搭載された各種機器の操作をする場合に受ける自然の突風等の風による悪影響を抑制し得る通風路を備えた構造体およびこの構造体を用いるに適する移動体を提供することを目的とする。
【課題を解決するための手段】
【００１１】
前記目的を達成するために、本発明によれば、所要の広さを有する床面部と、この床面部に対して所要の間隔をあけて対向配置される天井部と、この天井部側から上記床面部側に亘って全体を覆うように設けられる帆布とを具備し、上記帆布には少なくともその一側面に形成される帆布側通風孔と、この通風孔を塞ぐように設けられ、この帆布側通風孔から風圧を受けることにより、この風圧に応じて上記帆布側通風孔の開口を開くように設けられる弁体とを備え、上記床面部には、上記帆布側通風孔から浸入した風を外部へ通す床面側通風孔を備えたことを特徴とする通風路を備えた構造体を提供する。
【００１２】
前記目的を達成するために、本発明によれば、所要の広さを有する床面部と、この床面部に対して所要の間隔をあけて対向配置される天井部と、この天井部側から上記床面部側に亘って全体を覆うように設けられる帆布とを備えた構造体と、上記構造体側に設けられた鈎部を係止する構造を備えた移動体本体とを具備し、上記構造体の帆布には、その一側面に形成される帆布側通風孔と、この通風路を塞ぐように設けられ、この帆布側通風孔から風圧を受けることにより、この風圧に応じて上記帆布側通風孔の開口を開くように設けられる弁体と、上記床面部には上記帆布側通風孔から浸入した風を外部へ通す床面側通風孔とを備えたことを特徴とする通風路を備えた構造体を用いた移動体を提供する。
【発明の効果】
【００１３】
本発明によれば、持ち運びが容易な比較的軽量な構造体であって、特に戸外にて作業者が作業を行うに際に使用するに適する通風路を備えた構造体を提供することができる。
【００１４】
また、本発明によれば、車両等の移動体構造物に備えられる操作機器を作業者が戸外にて操作するにあたって、その作業性を良好にすると共に、操作機器が風を直接受けることによる悪影響をなくすことのできる通風路を備えた構造体を提供することができる。
【発明を実施するための最良の形態】
【００１５】
本発明に係る通風路を備えた構造体およびこの構造体を使用した移動体の実施形態について、添付図面を参照して説明する。
【００１６】
図１は、本発明の通風路を備えた構造体２０を取り付けた移動体である車両２１を示す斜視図である。
【００１７】
図２は、図１のＡ−Ａ線に沿う拡大断面図である。図３は、図１のＢ方向から見た通風路を備えた構造体の側面図である。また、図４は、図１のＣ方向から見た通風路を備えた構造体の上面図である。
【００１８】
図１に示す車両２１は、車両本体２１Ａと、この車両本体２１Ａの後部に搭載された機器収納筐体２２と、この機器収納筐体２２に対して着脱可能に支持される通風路を備えた構造体２０とより構成される。
【００１９】
構造体２０を着脱可能に支持する機器収納筐体２２は、図２に示すように、その側面部２２ａに収納機器（図示せず）から露出する複数の操作部２３が設けられる。機器収納筐体２２の側面部２２ａは、構造体２０の上部との接合部にて上下に分割され、当接合部に長い蝶番形支持具２４を支点として、構造体２０と接する面が下から水平に開く構造であり、構造体２０の天井部３１となり、閉じた状態では操作部２３を保護している。また、側面部２２ａの下部には、構造体２０の下部を支持する鈎形の支持具２５が固定される。
【００２０】
構造体２０は、具体的には、図２に示すように、剛性を有する平板状の床面部３０と、この床面部３０と相対向し、人の背の高さ位の高さ位置に設けられる天井部３１と、機器収納筐体２２の側面部２２ａ側に設けられる支持具２２ｂとを一体的に接合して、天井部３１を水平に支持する補強部材３２と、天井部３１，補強部材３２および床面部３０を上方よりすっぽり覆い、内部に作業者による作業空間が形成されるように設けられた帆布３３と、床面部３０の自由端側下方に一端が取り付けられ、他端が地面Ｇに設置可能に設けられる床面部支持脚４２とから構成される。
【００２１】
なお、床面部３０には、作業空間に浸入する風ｄ１の通風をよくする複数の床面側通風孔３０ａが設けられる。また、床面部支持脚４２は、床面部３０に作業者が乗り、重量がかかっても十分に支持し得る、例えば金属製のものである。
【００２２】
具体的には、図１および図２に示すように、天井部３１は、中央部が上方へやや突出した屋根形構造のもので、上方から覆い被せて設けられる帆布３３が容易に脱落せず、また、重みに耐え得る強度を有している。
【００２３】
天井部３１は、蝶番形支持具２４に支持され、機器収納筐体２２の側面部２２ａ側の操作部２３を覆うようにほぼ垂直位置からほぼ水平な状態に回動自在に支持されるように設けられる。
【００２４】
この天井部３１には、当該天井部３１の補強用として天井補強梁３１ｂが設けられる。また、この天井補強梁３１ｂには、所定部位に支持具３１ｃが設けられる。天井補強梁３１ｂは、蝶番形支持具２４の両側に相対向して一対の位置に設けられる。
【００２５】
一方、補強部材３２は、一端側が支持具２２ｂ側に、例えば回動自在に支持され、他端側が天井部３１の天井補強梁３１ｂの支持具３１ｃに着脱可能に設けられる。
【００２６】
また、天井部３１の機器収納筐体２２側には、幅方向に長い鈎部３１ａが設けられ、この鈎部３１ａを機器収納筐体２２の側面部２２ａ側に固定された蝶番形支持具２４の係合部２４ａに支持される。
【００２７】
蝶番形支持具２４の相対向位置に設けられた補強部材３２は、図４に示すように、構造体２０の反対側の側面から風圧Ｐを受けた場合には、この反対側の側面には通風孔が設けられていないので、風圧Ｐをそのまま受け比較的大きな凹みができる。しかしながら、必要な作業空間ｃが得られる範囲内での凹みに収まるように強靭且つ柔軟性を有している。
【００２８】
次に、帆布３３について詳述する。
【００２９】
帆布３３は、図１および図２に示すように、機器収納筐体２２側を除く３面を覆う防風カーテンのような役割をなすもので、構造体２０の横方向から風ｄ１を受けた場合にでも、この風ｄ１を受け流すことができるように比較的柔軟な素材、例えば綿を主体とした素材で造られたものである。そして、この帆布３３は、風の他に雨や太陽光のような水や光に対して遮蔽効果を得るために特に耐候性の良好な綿糸を主体とした素材を用い、その表面に例えば、シリコーン薄膜の防水コーティング、更には光を透過させない光遮蔽コーティングが施される。
【００３０】
更に、帆布３３は、図１に示すように、帆布３３の他の側面側から風ｄ１の風圧Ｐ１を受けた際に、この風ｄ１の風圧Ｐ１を受け流すことができるように複数の帆布側通風孔３４が形成される。
【００３１】
この複数の帆布側通風孔３４は、図１および図３に示すように、長孔、例えば長方形状のものが互いに隣接して平行に設けられる。また、これらの帆布側通風孔３４の裏側（作業空間ｃ側）には、このそれぞれの帆布側通風孔３４を塞ぐように、帆布側通風孔３４よりやや大きめな弁体３５が設けられる。
【００３２】
これらの弁体３５は、図５に示すように、綿糸３６にて部分的に縫い込まれている。また、縫い込まれていない部分は、図６（Ａ）に示すように風ｄ１の風圧Ｐ１がかかれば、矢印ｇ１にて示すように、僅かに帆布側通風孔３４が開くように変形するものである。また、無風状態では、それぞれの帆布側通風孔３４は弁体３５により閉じられた状態になっている。
【００３３】
この弁体３５は、帆布側通風孔３４の周囲の一部に綿糸３６により、断続的に縫い付けられて設けられる。すなわち、帆布側通風孔３４のそれぞれに設けられる弁体３５の周囲部の一部において断続的、例えば６箇所の縫付け部３７ａ〜３７ｆが設けられる。
【００３４】
この縫付け部以外の部分（以下、自由端部という。）３５ａにおいては、図６（Ａ）に示すように、外部からの風ｄ１が吹き付けられると、弁体３５の自由端部３５ａが風圧Ｐ１にて点線図示のように変形して風ｄ１が構造体２０の作業空間ｃ側へ浸入するようになっている。
【００３５】
また、強い風圧Ｐ２がかかった場合には、図６（Ｂ）に示すように、弁体３５の縫付け部分の間の部分３５ｂが浮き上がるように変形して、この変形した箇所から、すなわち、複数の縫付け部３７ａ〜３７ｆ相互間の隙ｙから風ｄ２が作業空間ｃ側へ浸入するようになっている。従って、構造体２０の作業空間ｃ内に流入した風ｄ１（ｄ２）は、図２に示すように、作業空間ｃ内を循環した後、床面部３０側の床面側通風孔３０ａから外部へ放出されるようになっている。
【００３６】
また、この作業空間ｃ内を循環する風ｄ１（ｄ２）は、操作機器の操作部２３側からの放熱ｋを吸収して床面部３０の床面側通風孔３０ａから外部へ放出させることができるものである。
【００３７】
なお、図１に示す符号３８は、作業者が必要により持ち運びできる梯子で、作業者が構造体２０の作業空間ｃ内に入る際に必要により用いられる。
【００３８】
次に、帆布側通風路を備えた構造体２０を使用した車両２１の作用について説明する。
【００３９】
移動体である車両２１を戸外に移動させ、車両２１の操作機器筐体２２側から露出する操作部２３を操作する際に、図１に示すように矢印Ｂ方向から風ｄ１が吹いてきたとすると、汎布３３は、図６（Ａ）に示すように所定の風圧Ｐ１にて、帆布側通風孔３４に設けた弁体３５の自由端部３５ａが矢印ｇ１方向に押されて一点鎖線にて示す位置まで変形する。このように弁体３５が変形することによって、帆布側通風孔３４の一部が開口し、この開口から風ｄ１が作業空間ｃ側に浸入する。
【００４０】
また、図１に示すように矢印Ｂ方向から風ｄ１より強い風圧Ｐ２の風ｄ２が吹いてきたとすると、図６（Ｂ）に示すように、綿糸３６による縫付け部分の間の部分３５ｂが矢印ｇ２方向に浮き上がり、その結果、隙ｙができる。この縫付け部分の間の部分３５ｂが隙ｙができるまで浮き上がることにより、風ｄ２が作業空間ｃ側に浸入する。
【００４１】
このように、構造体２０が風ｄ１（ｄ２）による風圧Ｐ１（Ｐ２）の影響を受けたとしても、構造体２０の汎布３３は、これらの風ｄ１（ｄ２）を受け流すようになる。
【００４２】
次に、帆布側通風孔３４の一部からはこれらの風ｄ１（ｄ２）の一部を作業空間ｃ内に受け入れるようになるので、作業空間ｃ側に浸入した風ｄ１（ｄ２）は、作業空間ｃ内を循環して後に床面部３０の床面側通風孔３０ａから自動的に外部へ抜けるようになる。従って、作業空間ｃは、作業者の作業に必要な範囲が維持されると共に、作業空間ｃに面する操作機器の操作部２３からの放熱は、風ｄ１（ｄ２）に曝されて熱交換され、操作機器（操作部２３）が所望に冷却される。
【００４３】
また、同時に、構造体２０側に対して太陽光等の光が帆布３３の側面側から照射された場合、図６（Ａ）および（Ｂ）に示すように、一方向から入って来る光ｈ１および他方向から入ってくる光ｈ２の何れも帆布側通風孔３４を透過して浸入するのを防止する。
【００４４】
このように、通風路を備えた構造体２０によれば、所要の広さを有する床面部３０と、この床面部３０に対して所要の間隔をあけて対向配置される天井部３１と、この天井部３１側から床面部３０側に亘って全体を覆うように設けられる帆布３３とを具備し、帆布３３には、少なくともその一側面に形成される帆布側通風孔３４と、この通風孔３４を塞ぐように設けられ、この帆布側通風孔３４から風圧Ｐ１（Ｐ２）を受けることにより、この風圧Ｐ１（Ｐ２）に応じて帆布側通風孔３４の開口を開くように設けられる弁体３５とを備え、床面部３０には、帆布側通風孔３４から浸入した風ｄ１（ｄ２）を外部へ通す床面側通風孔３０ａを備えた構成であるから、例えば車両等の移動体に備えられる操作機器を戸外にて操作するに際しては、操作機器が風ｄ１（ｄ２）や太陽光等の光ｈ１（ｈ２）を直接受けることによる悪影響をなくす一方で、機器からの放熱を良好になし得ることができるものである。
【００４５】
また、通風路を備えた構造体２０を用いた移動体によれば、所要の広さを有する床面部３０と、この床面部３０に対して所要の間隔をあけて対向配置される天井部３１と、この天井部３１側から床面部３０側に亘って全体を覆うように設けられる帆布３３とを備えた構造体２０と、構造体２０側に設けられた鈎部３０ｂを係止する支持具２５を備えた移動体本体２１Ａとを具備し、構造体２０の帆布３３には、その一側面に形成される帆布側通風孔３４と、この通風孔３４を塞ぐように設けられ、この帆布側通風孔３４から風圧Ｐ１を受けることにより、この風圧Ｐ１に応じて帆布側通風孔３４の開口を開くように設けられる弁体３５と、床面部３０には帆布側通風孔３４から浸入した風ｄ１を外部へ通す床面側通風孔３０ａとを備えた構成にしたから、車両等の移動体に備えられる操作機器を戸外にて操作するに際しては、風ｄ１（ｄ２）の風圧Ｐ１（Ｐ２）に対して構造体２０の帆布３３により受け流すことにより構造体２０に対する風圧Ｐ１（Ｐ２）の悪影響を少なくすると共に、操作機器が風ｄ１（ｄ２）や太陽光等の光ｈ１（ｈ２）を直接受けることによる悪影響をなくす一方で、機器からの放熱を良好になし得ることができるものである。
【００４６】
なお、本発明の通風路を備えた構造体２０によれば、帆布３３は、天井部３１の上方からすっぽり覆われるように設けたが、必ずしもその必要はなく、天井部３１が、例えば屋根形のものであれば、その屋根周辺から床面部３０まで至るカーテン形のものであってもよい。
【００４７】
また、通風路を備えた構造体２０によれば、帆布３３の一側面に設けた複数の帆布側通風孔３４は、長方形状のものが互いに隣接して平行に設けたが、この構成に限らず、図７に示すように、それぞれ異なった向きの、例えば３つの帆布側通風孔３４Ａ，３４Ｂおよび３４Ｃを組み合わせて設けるようにしてもよい。
【００４８】
そして、これらの３つの帆布側通風孔３４Ａ，３４Ｂおよび３４Ｃには、それぞれ、これらの帆布側通風孔３４Ａ，３４Ｂおよび３４Ｃのそれぞれの向きに応じた弁体３５を設けることができる。すなわち、複数の弁体３５を帆布側通風孔３４Ａ，３４Ｂおよび３４Ｃのそれぞれの周囲の全部または一部に断続的に縫付け部３９ａ〜３９ｆを有するように縫付けることができる。
【００４９】
このように向きの異なった帆布側通風孔３４Ａ，３４Ｂおよび３４Ｃを設けることにより、これらの帆布側通風孔３４Ａ，３４Ｂおよび３４Ｃに対してそれぞれ浸入する風ｄ１（ｄ２）は、帆布３３内の作業空間ｃに浸入した際に、その方向がそれぞれ異なるために、浸入した風ｄ１（ｄ２）間でスクランブル現象が生じ、作業空間ｃに面する操作機器の操作部２３に対する熱交換効率を一層高めることができる。
【００５０】
更に、通風路を備えた構造体２０によれば、帆布側通風孔３４、３４Ａ，３４Ｂおよび３４Ｃとして、長孔形状にしたが、この形状のものに限らず、図８に示すように、円状の帆布側通風孔３４Ｄを設けることができる。そして、この円状の帆布側通風孔３４Ｄには、この帆布側通風孔３４Ｄに応じた円状弁体４０を設けることができる。
【００５１】
また、この円状弁体４０は、帆布側通風孔３４Ｄの周囲の全部または一部に断続的に縫付け部４１ａ〜４１ｆを有するように縫付けることができる。このように円状の帆布側通風孔３４Ｄを設けることにより、この帆布側通風孔Ｄに浸入する風ｄ１（ｄ２）は、帆布３３内の作業空間ｃに浸入した際に、風ｄ１（ｄ２）間でスクランブル現象が生じ、作業空間ｃに面する操作機器の操作部２３に対する熱交換効率を一層高めることができる。
【００５２】
更に、本発明の通風路を備えた構造体２０によれば、帆布３３に設けた帆布側通風孔３４は、帆布３３の一側面に設けたものを例示したが、他側面側に設けてもよく、更には両側に設けても差し支えない。更にまた、通風路を備えた構造体２０によれば、天井部３１を剛性を有する平板状のもので構成したが、平板状のものに限らず所定の合成を有する骨組み構造のものであっても差し支えない。
【００５３】
また、通風路を備えた構造体２０によれば、天井部３１と床面部３０との間に跨ぐように接合して設けた補強部材３２は必ずしも必要なものでなく、床面部３０単体で、車両本体２１Ａの操作機器筐体２２側に対して相当の強度で支持し得る構成にすることもできる。
【００５４】
更に、通風路を備えた構造体２０によれば、床面部３０は、操作機器筐体２２側に設けた支持具２５に床面部３０に設けた鈎部３０ｂを係合させて支持する構成にしたが、必ずしもこの構成に限らず、地面に直接設置するセパレートタイプのものや、構造体２０より床面部３０が引き出せるスライドタイプであっても差し支えない。
【図面の簡単な説明】
【００５５】
【図１】本発明の通風路を備えた構造体およびこの構造体を用いた移動体の実施形態を示す斜視図。
【図２】図１のＡ−Ａ線に沿う拡大断面図。
【図３】図１のＢ方向から見た通風路を備えた構造体の側面図。
【図４】図１のＣ方向から見た通風路を備えた構造体の上面図。
【図５】図３のＤ−Ｄに沿う拡大断面図。
【図６】図３のＥ−Ｅ線に沿う拡大断面図で、（Ａ）および（Ｂ）は、それぞれ異なった条件下での断面を示す図。
【図７】本発明の通風路を備えた構造体の他の実施例を示す図３に対応する側面図。
【図８】本発明の通風路を備えた構造体の更に他の実施例を示す図４に対応する側面図。
【図９】従来の通風路を備えた構造体の一部の横断面図。
【図１０】従来の通風路を備えた構造体の縦断面図。
【符号の説明】
【００５６】
２０  構造体
２１  車両（移動体）
２１Ａ  車両本体（移動体本体）
２２  機器収納筐体
２２ａ  側面部
２２ｂ，２５，３１ｃ  支持具
２３  操作部
２４  蝶番形支持具
２４ａ  係合部
３０  床面部
３０ａ  床面側通風孔
３０ｂ，３１ａ  鈎部
３１  天井部
３１ｂ  天井補強梁
３２  補強部材
３３  帆布
３４，３４Ａ〜３４Ｃ  帆布側通風孔
３５  弁体
３５ａ  自由端部
３６  綿糸
３７ａ〜３７ｆ，３９ａ〜３９ｆ，４１ａ〜４１ｅ  縫付け部
３８  梯子
４０  円状弁体
４２  床面支持脚
ｃ  作業空間
ｄ１，ｄ２  風
ｈ１，ｈ２  光
ｋ  放熱
Ｐ，Ｐ１，Ｐ２  風圧
【図１】
2007210524.tif 000003
【図２】
2007210524.tif 000004
【図３】
2007210524.tif 000005
【図４】
2007210524.tif 000006
【図５】
2007210524.tif 000007
【図６】
2007210524.tif 000008
【図７】
2007210524.tif 000009
【図８】
2007210524.tif 000010
【図９】
2007210524.tif 000011
【図１０】
2007210524.tif 000012